(57)【要約】【課題】鎮痛消炎薬を塗布するシップの繊維生地であって、該シップを使用して屋外へ出て日が当っても、患部に発疹やかゆみなどの症状が起きない鎮痛消炎薬塗布用の繊維生地の提供。【解決手段】丸編などで製作した繊維生地を染色加工し、この際、約１３０℃で染色すると共に紫外線を吸収したり反射することが出来るトリアジン系化合物を２重量％吸尽法にて付着させる。【選択図】　　　　図１
2004121275.tif 000002
【特許請求の範囲】
【請求項１】
鎮痛消炎薬を塗布するシップの繊維生地において、紫外線を反射したり吸収することが出来る成分を後処理加工にて施したことを特徴とする経皮鎮痛消炎薬塗布用の繊維生地。
【請求項２】
鎮痛消炎薬を塗布するシップの繊維生地において、紫外線を反射したり吸収することが出来る性能を有す成分を糸に含有し、繊維中に該成分が１重量％以上含むように編立てしたことを特徴とする経皮鎮痛消炎薬塗布用の繊維生地。
【請求項３】
波長が２８０〜４００ｎｍの紫外線透過率を１０％以下とした請求項１、又は請求項２記載の経皮鎮痛消炎薬塗布用の繊維生地。
【発明の詳細な説明】
【０００１】
【発明の属する技術分野】
本発明は紫外線を反射したり吸収することが出来る経皮鎮痛消炎薬塗布用の繊維生地に関するものである。
【０００２】
【従来の技術】
打撲や捻挫などによって痛みが発生し、この痛みを抑える為に鎮痛消炎薬を皮膚に塗る場合がある。又、該鎮痛消炎薬を塗布したシップを皮膚に貼ることもあり、所定の大きさの生地に鎮痛消炎薬を塗布しておき、これを痛みのある患部に貼り付けるほうがむしろ便利である。従って、今日では色々な鎮痛消炎用のシップが市販されている。
【０００３】
ところが、上記鎮痛消炎薬によっては紫外線に当ることで化学反応を引き起こし、これが原因で、皮膚に発疹、爛れ、発赤症などが発生するケースが多い。特に、光線過敏症と診断された経験がある人、医薬品や化粧品、日焼け止め等で過敏症を起こしたことのある人は、鎮痛消炎用シップを使用する際にも同じような症状が起きることがある。
【０００４】
従って、紫外線に当ることで化学反応を引き起こす鎮痛消炎薬を塗布したシップを患部に貼る場合、紫外線に当らないように注意することが必要である。例えば、海水浴や炎天下での作業、ゴルフ、テニス等、屋外スポーツはしないように心掛ける必要がある。又、外出する際には天候にかかわらず、濃い色の衣服を着用して、紫外線がシップに透過しないようにしなくてはならない。
【０００５】
【発明が解決しようとする課題】
このように、ある鎮痛消炎薬を塗布したシップを使用する場合には上記のごとき問題がある。本発明が解決しようとする課題はこの問題点であって、上記鎮痛消炎薬を塗布したシップを使用しても患部に発疹、発赤、かゆみ等の症状が起きないようにした鎮痛消炎薬塗布用の繊維生地を提供する。
【０００６】
【課題を解決する為の手段】
本発明に係る鎮痛消炎薬塗布用の繊維生地は、紫外線が直接当っても塗布されている鎮痛消炎薬がアレルギー反応を起こさないように構成している。本発明の鎮痛消炎薬塗布用繊維生地は、ポリエチレンテレフタレート等の樹脂を原材料とし、これから溶融紡糸を製造する。これは周知の通り未延伸糸であって、糸としての強度がない為に延伸して糸本来の強度与える。
【０００７】
そして、延伸された糸は仮撚加工されてストレッチ性及び嵩高性を付加する。本発明の鎮痛消炎薬塗布用繊維生地は、上記糸を使用して編立てされ、その後、染色工程と乾燥工程を経て出来上がる。そこで、このように製造された繊維生地に紫外線を反射することが出来る処理を施し、又は紫外線を吸収することが出来る処理が施される。ここで使用される紫外線吸収剤は限定しないが、例えば、トリアジン系、ベンゾフェノン系やベンゾトリアゾール系に代表されるが、トリアジン系やベンゾフェノン系化合物を用いる方が皮膚感作性も無くて望ましい。
【０００８】
一方、上記編立てされる糸の段階で紫外線反射処理、又は紫外線吸収処理を施し、この糸を用いて編立てすることも出来る。ここで、紫外線反射処理、及び紫外線吸収処理の具体的な方法は限定しないことにするが、例えば、二酸化チタンや酸化亜鉛が使用される。以下、本発明に係る実施例を図面に基づいて詳細に説明する。
【０００９】
【実施例】
本発明に係る鎮痛消炎薬塗布用の繊維生地は、鎮痛消炎薬がアレルギー反応を起こさないように、繊維生地にて紫外線を吸収し、又は紫外線を反射することで、鎮痛消炎薬に紫外線が当らないように構成したものである。ところで、紫外線を吸収したり、反射することが出来る成分は色々存在しているが、肌に悪影響の物質でなくてはならない。
【００１０】
（具体例１）
例えば、図１に工程を示すように、ポリエステルフィラメント５６デシテックスの仮撚加工糸を使用し、２８Ｇ×３０ｉｎインターロック組織で編立てして丸編繊維生地を製作する。この丸編繊維生地の片側をカットして所定巾の生地に開反し、これを染色装置によって染色する。本発明ではこの染色工程にて紫外線を吸収したり紫外線を反射する処理を行なう訳であって、約１３０℃で染色加工し、この際、皮膚感作性（アレルギー反応）の無いトリアジン系化合物を２重量％吸尽法にて付着させる。
【００１１】
すなわち、トリアジン系化合物を染色液に混入した状態で染色が行なわれる。そこで、繊維生地は一般に肌色に染色され、同時に紫外線が透過しにくい繊維生地と成る。その後、脱水・乾燥を行い、その後の作業がし易いように帯電防止剤を付与し、約１７０℃の空間を生地が通過することで乾燥・巾出が行なわれる。このようにして製作した繊維生地の紫外線遮蔽率は約９５．６％であり、該繊維生地に鎮痛消炎薬を塗布しても紫外線が当ってアレルギー反応を起こすことはない。
【００１２】
（具体例２）
ポリエステルフィラメント５６デシテックスの仮撚加工糸を使用し、２８Ｇ×３０ｉｎインターロック組織で編立てして前記具体例の場合と同じように丸編繊維生地１を製作する。この丸編繊維生地１を約１２０℃で染色し、その後、染色された繊維生地にベンゾフェノン系紫外線吸収剤を２重量％パッド法にて、その後の作業がし易いように帯電防止剤と共に付与し、約１７０℃の空間を生地画通過することで乾燥・巾出が行なわれる。このようにして製作した繊維生地の紫外線遮蔽率は約９５．０％であり、該繊維生地に鎮痛消炎薬を塗布しても紫外線が当ってアレルギー反応を起こすことはない。
【００１３】
（具体例３）
二酸化チタンを１．５重量％含有したポリエチレンテレフタレートから紫外線吸収又は反射溶融紡糸を作り、この溶融紡糸を延伸し、仮撚加工を施し、ポリエステルフィラメント５６デシテックスの仮撚加工糸を２８Ｇ×３０ｉｎインターロック組織で編立てした生地を約１３０℃で染色加工して脱水・乾燥を行う。その後、帯電防止剤を付与して１７０℃で乾燥・巾出を行なう。すなわち、この方法は紫外線を吸収したり反射することが出来るようにした糸を用いて編立てする。そして製作した繊維生地の紫外線遮蔽率は約９５．０％であり、該繊維生地に鎮痛消炎薬を塗布しても紫外線が当ってアレルギー反応を起こすことはない。
【００１４】
上記方法で製作した繊維生地の紫外線遮蔽率測定は、紫外線分光度計により、バンドパスフィルターを使用しない方法で行なわれ、測定機器はＵＶ−２４００ＰＣ、積分球付属装置ＩＳＲ−２２００、測定波長域は、２８０〜４００ｎｍである。
【００１５】
図２は本発明の繊維生地に鎮痛消炎薬を塗布したシップを表している。図３は該シップの断面拡大図であり、繊維生地１には鎮痛消炎薬２が塗布されている。そして、該鎮痛消炎薬２の上にはフイルム３が貼着されていて、患部に貼る場合には上記フイルム３を剥がして貼り付けされる。
【００１６】
図２に示しているように、該シップは患部に貼り付けし易いように、フイルムは３分割されてフイルム３ａ，３ｂ，３ｃから成っている。このようなフイルム形態は従来から知られているが、中央のフイルム３ｂを剥がし、中央部を患部に当ててから両側のフイルム３ａ，３ｃを剥がすことが出来、鎮痛消炎薬が手に付着することもない。
【００１７】
ところで、上記具体例ではポリエステルフィラメントを使用しているが、ナイロンフィラメントを用いることもある。又フィラメント（長い繊維）に限ることなく、短繊維を使用する場合もある。以上述べたように、本発明に係る鎮痛消炎薬塗布用の繊維生地は、紫外線を反射したり吸収することが出来る処理を施したものであり、次のような効果を得ることが出来る。
【００１８】
【発明の効果】
本発明の鎮痛消炎薬塗布用の繊維生地は、紫外線を反射したり吸収することが出来る為に、すなわち。該繊維生地に塗布した鎮痛消炎薬に紫外線が当らないように遮蔽することが出来る。従って、該シップを患部に貼り付けた状態で紫外線が当っても、鎮痛消炎薬がアレルギー反応を起こして皮膚が炎症して、発疹、発赤になることはない。
【図面の簡単な説明】
【図１】本発明の繊維生地の製造工程。
【図２】鎮痛消炎薬を塗布したシップの具体例。
【図３】シップの断面拡大図。
【符号の説明】
１　繊維生地
２　鎮痛消炎薬
３　フイルム
【図１】
2004121275.tif 000003
【図２】
2004121275.tif 000004
【図３】
2004121275.tif 000005
【手続補正書】
【提出日】平成14年10月9日(2002.10.9)
【手続補正１】
【補正対象書類名】明細書
【補正対象項目名】０００３
【補正方法】変更
【補正の内容】
【０００３】
ところが、上記鎮痛消炎薬によっては紫外線に当ることでアレルギー反応を引き起こし、これが原因で、皮膚に発疹、爛れ、発赤症などが発生するケースが多い。特に、光線過敏症と診断された経験がある人、医薬品や化粧品、日焼け止め等で過敏症を起こしたことのある人は、鎮痛消炎用シップを使用する際にも同じような症状が起きることがある。


【手続補正２】
【補正対象書類名】明細書
【補正対象項目名】０００４
【補正方法】変更
【補正の内容】
【０００４】
従って、紫外線に当ることでアレルギー反応を引き起こす鎮痛消炎薬を塗布したシップを患部に貼る場合、紫外線に当らないように注意することが必要である。例えば、海水浴や炎天下での作業、ゴルフ、テニス等、屋外スポーツはしないように心掛ける必要がある。又、外出する際には天候にかかわらず、濃い色の衣服を着用して、紫外線がシップに透過しないようにしなくてはならない。


【手続補正３】
【補正対象書類名】明細書
【補正対象項目名】０００９
【補正方法】変更
【補正の内容】
【０００９】
【実施例】
本発明に係る鎮痛消炎薬塗布用の繊維生地は、鎮痛消炎薬がアレルギー反応を起こさないように、繊維生地にて紫外線を吸収し、又は紫外線を反射することで、鎮痛消炎薬に紫外線が当らないように構成したものである。ところで、紫外線を吸収したり、反射することが出来る成分は色々存在しているが、肌に悪影響の無い物質でなくてはならない。